(57)【要約】【課題】建屋の屋根を容易かつ短期間に構築することができる屋根構築方法および屋根ユニットパネルを提供する。【解決手段】四角形状の波形鋼板５と、波形鋼板５の波付け方向の端部に固定された一対の第１枠材６と、波形鋼板５の波付け方向と直交する方向の端部に固定された一対の第２枠材７と、波形鋼板５上に設置された断熱材８と、断熱材８上に敷かれた防水材９とから構成される。【選択図】図１
2017141589.tif 000002
【特許請求の範囲】
【請求項１】
四角形状の波形鋼板と、前記波形鋼板の波付け方向の端部に固定された一対の第１枠材と、前記波形鋼板の波付け方向と直交する方向の端部に固定された一対の第２枠材と、前記波形鋼板上に設置された断熱材と、前記断熱材上に敷かれた防水材とから構成される屋根ユニットパネルを、支柱間に固定された梁上に連設することを特徴とする屋根構築方法。
【請求項２】
四角形状の波形鋼板と、前記波形鋼板の波付け方向の端部に固定された一対の第１枠材と、前記波形鋼板の波付け方向と直交する方向の端部に固定された一対の第２枠材と、前記波形鋼板上に設置された断熱材と、前記断熱材上に敷かれた防水材とから構成されることを特徴とする屋根ユニットパネル。
【請求項３】
前記波形鋼板は、デッキプレートからなることを特徴とする、請求項２に記載の屋根ユニットパネル。
【請求項４】
前記第１枠材および前記第２枠材は、チャンネル鋼からなることを特徴とする、請求項２または３に記載の屋根ユニットパネル。
【請求項５】
前記第１枠材のフランジは、外側を向き、前記第２枠材のフランジは、内側を向き、前記第２枠材は、前記第１枠材間に固定されていることを特徴とする、請求項４に記載の屋根ユニットパネル。
【請求項６】
前記第１枠材のフランジおよび前記第２枠材のフランジは、互いに内側を向き、前記第２枠材は、前記第１枠材間に固定されていることを特徴とする、請求項４に記載の屋根ユニットパネル。
【請求項７】
前記断熱材は、断熱部材が取り付けられた野地板、または、断熱機能を有するサンドウイッチパネルからなることを特徴とする、請求項２から６の何れか１つに記載の屋根ユニットパネル。
【請求項８】
前記防水材は、防水シート、ルーフィングまたはメッキ鋼板からなることを特徴とする、請求項２から７の何れか１つに記載の屋根ユニットパネル。
【発明の詳細な説明】
【技術分野】
【０００１】
この発明は、屋根構築方法および屋根ユニットパネル、特に、建家の屋根を容易かつ短期間に構築することができる屋根構築方法および屋根ユニットパネルに関するものである。
【背景技術】
【０００２】
従来、図１２、図１３に示すように、建家の屋根３１は、例えば、支柱３２間に固定されたＨ形鋼からなる梁３３上に、梁３３間に張り渡された軽量形鋼からなる母屋３４を介して構築されている。
【０００３】
図１２は、従来の建屋を示す断面図、図１３は、屋根を省略した、従来の建屋を示す部分平面図である。
【０００４】
屋根３１は、断熱材３５と防水材３６とから構成され、水平面の剛性を高めるためにブレース３７が張り渡されている。断熱材３５は、断熱部材が取り付けられた野地板、または、断熱効果を有するサンドウイッチパネルからなり、防水材３６は、防水シート、ルーフィング、メッキ鋼板等からなる防水材３６とから構成され、強度を高めるためにブレース３７が張り渡されている。
【先行技術文献】
【特許文献】
【０００５】
【特許文献１】特開２０１２−１５８８８６号公報
【発明の概要】
【発明が解決しようとする課題】
【０００６】
上述した、従来の建屋の屋根３１によれば、所定の強度、防水性および断熱効果が得られるが、以下のような問題があった。
【０００７】
屋根３１の構築に際して、梁３３間に母屋３４を張り渡したり、ブレース３７により補強する必要があるので、工期が長くなる。
【０００８】
従って、この発明の目的は、建屋の屋根を容易かつ短期間に構築することができる屋根構築方法および屋根ユニットパネルを提供することにある。
【０００９】
なお、特許文献１には、プレハブ化したデッキプレートパネルが開示されているが、このパネルは、床構造として用いるものであり、この発明のように、断熱材や防水材を備えた屋根ユニットパネルではない。
【課題を解決するための手段】
【００１０】
この発明は、上記目的を達成するためになされたものであって、下記を特徴とする。
【００１１】
請求項１に記載の発明は、四角形状の波形鋼板と、前記波形鋼板の波付け方向の端部に固定された一対の第１枠材と、前記波形鋼板の波付け方向と直交する方向の端部に固定された一対の第２枠材と、前記波形鋼板上に設置された断熱材と、前記断熱材上に敷かれた防水材とから構成される屋根ユニットパネルを、支柱間に固定された梁上に連設することに特徴を有するものである。
【００１２】
請求項２に記載の発明は、四角形状の波形鋼板と、前記波形鋼板の波付け方向の端部に固定された一対の第１枠材と、前記波形鋼板の波付け方向と直交する方向の端部に固定された一対の第２枠材と、前記波形鋼板上に設置された断熱材と、前記断熱材上に敷かれた防水材とから構成されることに特徴を有するものである。
【００１３】
請求項３に記載の発明は、請求項２に記載の発明において、前記波形鋼板は、デッキプレートからなることに特徴を有するものである。
【００１４】
請求項４に記載の発明は、請求項２または３に記載の発明において、前記第１枠材および前記第２枠材は、チャンネル鋼からなることに特徴を有するものである。
【００１５】
請求項５に記載の発明は、請求項４に記載の発明において、前記第１枠材のフランジは、外側を向き、前記第２枠材のフランジは、内側を向き、前記第２枠材は、前記第１枠材間に固定されていることに特徴を有するものである。
【００１６】
請求項６に記載の発明は、請求項４に記載の発明において、前記第１枠材のフランジおよび前記第２枠材のフランジは、互いに内側を向き、前記第２枠材は、前記第１枠材間に固定されていることに特徴を有するものである。
【００１７】
請求項７に記載の発明は、請求項２から６の何れか１つに記載の発明において、前記断熱材は、断熱部材が取り付けられた野地板、または、断熱機能を有するサンドウイッチパネルからなることに特徴を有するものである。
【００１８】
請求項８に記載の発明は、請求項２から７の何れか１つに記載の発明において、前記防水材は、防水シート、ルーフィングまたはメッキ鋼板からなることに特徴を有するものである。
【発明の効果】
【００１９】
この発明によれば、四角形状の波形鋼板と、前記波形鋼板の波付け方向の端部に固定された一対の第１枠材と、前記波形鋼板の波付け方向と直交する方向の端部に固定された一対の第２枠材と、前記波形鋼板上に設置された断熱材と、前記断熱材上に敷かれた防水材とから構成される屋根ユニットパネルを、支柱間に固定された梁上に連設することにより、建家の屋根を容易かつ短期間に構築することができる。
【図面の簡単な説明】
【００２０】
【図１】梁に設置された、この発明の屋根ユニットパネルを示す部分斜視図である。
【図２】この発明の屋根ユニットパネルによる屋根が構築された建屋を示す断面図である。
【図３】この発明の屋根ユニットパネルによる屋根が構築された建屋を示す部分平面図である。
【図４】梁に設置された、この発明の別の屋根ユニットパネルを示す部分斜視図である。
【図５】図４の部分拡大図である。
【図６】図４のＡ矢視図である。
【図７】図４のＢ矢視図である。
【図８】この発明の別の屋根ユニットパネルによる屋根が構築された建屋を示す部分平面図である。
【図９】図４において、別の屋根ユニットパネルに置き換えた場合のＡ矢視図である。
【図１０】図４において、別の屋根ユニットパネルに置き換えた場合のＢ矢視図である。
【図１１】この発明の別の屋根ユニットパネルによる屋根が構築された建屋を示す部分平面図である。
【図１２】従来の建屋を示す断面図である。
【図１３】屋根を省略した、従来の建屋を示す部分平面図である。
【発明を実施するための形態】
【００２１】
この発明の屋根ユニットパネルの一実施態様を、図面を参照しながら説明する。
【００２２】
図１は、梁に設置された、この発明の屋根ユニットパネルを示す部分斜視図、図２は、この発明の屋根ユニットパネルによる屋根が構築された建屋を示す断面図、図３は、この発明の屋根ユニットパネルによる屋根が構築された建屋を示す部分平面図である。
【００２３】
図１から図３において、１は、屋根であり、建家の支柱２間に固定されたＨ形鋼からなる梁３上に構築されている。
【００２４】
屋根１は、この発明の屋根ユニットパネル４を複数枚、梁３上に連設したもので構成されている（図２、図３参照）。
【００２５】
屋根ユニットパネル４は、四角形状の波形鋼板５と、波形鋼板５の波付け方向の端部に固定された一対の第１枠材６と、波形鋼板５の波付け方向と直交する方向の端部に固定された一対の第２枠材７と、波形鋼板５上に設置された断熱材８と、断熱材８上に敷かれた防水材９とから構成されている。
【００２６】
波形鋼板５は、デッキプレートからなっているが、他の形状の波形鋼板であってもよい。第１枠材６および第２枠材７は、何れも、チャンネル鋼からなっているが、他の形状の鋼材であってもよい。
【００２７】
第１枠材６のフランジ６ａは、外側を向き、第２枠材７のフランジ７ａは、内側を向き、第２枠材７は、第１枠材６のウエッブ６ｂ間に固定され、波形鋼板５の波付け方向の端部は、ウエッブ６ｂに固定されている。
【００２８】
第２枠材７は、第１枠材６より小さく、波形鋼板５の波付け方向と直交する端部は、第２枠材７のウエッブ７ｂの内面に固定されている。
【００２９】
波形鋼板５、第１枠材６、第２枠材７間の固定手段は、溶接であるが、これ以外の固定手段であってもよい。
【００３０】
断熱材８は、断熱部材が取り付けられた野地板、または、断熱効果を有するサンドウイッチパネルからなり、防水材９は、防水シート、ルーフィングまたはメッキ鋼板からなっている。
【００３１】
このように構成されている、この発明の屋根ユニットパネル４によれば、以下のようにして、建家の屋根１が構築される。
【００３２】
図２、図３に示すように、梁３上に、複数枚の屋根ユニットパネル４を、梁３と第１枠材６とが直交するように載置する。第２枠材７同士は、梁３上に密着させて載置する。そして、第１枠材６の下部のフランジ６ａを梁３にボルト等により固定する。
【００３３】
複数枚の屋根ユニットパネル４を梁３上に連設したら、屋根ユニットパネル４間の隙間を、防水および断熱効果を有する塞ぎ板１０により塞ぐ。なお、屋根ユニットパネル４間の隙間を、塞ぎ板１０により塞ぎ、塞ぎ板１０上を防水シート（図示せず）により覆う構造にしてもよい。
【００３４】
このようにして、この発明の屋根ユニットパネル４により建家の屋根１が構築される。
【００３５】
この発明の屋根ユニットパネル４によれば、屋根ユニットパネル４に第１枠材６と第２枠材７が固定されているので、従来の建屋の屋根のように梁３間に母屋を張り渡す必要がなく、また、第１枠材６が梁３の補剛として機能するので、梁３の補剛材を省略することができる。さらに、屋根ユニットパネル４に面剛性を持たせることができるの、ブレースを省くことも可能である。これらの結果、建屋の屋根を容易かつ短期間に構築することができる。
【００３６】
次に、この発明の別の屋根ユニットパネルを、図面を参照しながら説明する。
【００３７】
図４は、梁に設置された、この発明の別の屋根ユニットパネルを示す部分斜視図、図５は、図４の部分拡大図、図６は、図４のＡ矢視図、図７は、図４のＢ矢視図、図８は、この発明の別の屋根ユニットパネルによる屋根が構築された建屋を示す部分平面図である。
【００３８】
図４から図８に示すように、この発明の別の屋根ユニットパネル１１は、四角形状の波形鋼板１２と、波形鋼板１２の波付け方向の端部に固定された一対の第１枠材１３と、波形鋼板１２の波付け方向と直交する方向の端部に固定された一対の第２枠材１４と、波形鋼板１２上に設置された断熱材１５と、断熱材１５上に敷かれた防水材１６とから構成されている。
【００３９】
第１枠材１３のフランジ１３ａおよび第２枠材１４のフランジ１４ａは、互いに内側を向き、第２枠材１４は、第１枠材１３間に、図５に示すように、第２枠材１４の上部のフランジ１４ａを一部切り欠いた状態で固定されている。
【００４０】
波形鋼板１２は、デッキプレートからなっているが、他の形状の波形鋼板であってもよい。第１枠材１３および第２枠材１４は、何れも、チャンネル鋼からなっているが、他の形状の鋼材であってもよい。
【００４１】
第２枠材１４は、第１枠材１３より小さく、波形鋼板１２の波付け方向と直交する端部は、第２枠材１４のウエッブ１４ｂの内面に固定されている。
【００４２】
波形鋼板１２、第１枠材１３、第２枠材１４間の固定手段は、溶接であるが、これ以外の固定手段であってもよい。
【００４３】
断熱材１５は、断熱部材が取り付けられた野地板、または、断熱機能を有するサンドウイッチパネルからなり、防水材１６は、防水シート、ルーフィングまたはメッキ鋼板からなっている。
【００４４】
このように構成されている、この発明の別の屋根ユニットパネル１１によれば、以下のようにして、建家の屋根１が構築される。
【００４５】
図４に示すように、梁３上に複数枚の別の屋根ユニットパネル１１を、梁３と第１枠材１３とが直交するように載置する。第１枠材１３同士および第２枠材１４同士は、梁３上に密着させて載置する（図８参照）。そして、第１枠材１３の下部のフランジ１３ａを梁３にボルト等により固定するとともに、隣接する屋根ユニットパネル１１の第１枠材１３のウエッブ１３ｂ間に固定した板材１７と、梁３に固定した板材１８とを方杖１９により連結する。
【００４６】
複数枚の別の屋根ユニットパネル１１を梁３上に連設したら、屋根ユニットパネル１１間の隙間を、塞ぎ板２０により塞ぎ、塞ぎ板２０上を防水シート２３により覆う（図６、図７参照）。
【００４７】
このようにして、この発明の別の屋根ユニットパネル１１により建家の屋根１が構築される。
【００４８】
この発明の別の屋根ユニットパネル１１によれば、屋根ユニットパネル１１に第１枠材１３と第２枠材１４が固定されているので、従来の屋根のように梁３間に母屋を張り渡す必要がなく、ブレースによる補強も基本的には不要である。この結果、建屋の屋根を容易かつ短期間に構築することができる。
【００４９】
屋根ユニットパネル１１の梁３への固定手段は、上述した方杖１９以外に、図９から図１１に示すように、ガセット２１を用いてもよい。
【００５０】
この場合、ガセット２１は、梁３に、梁３から突出させて固定し、突出部分のガセット２１を屋根ユニットパネル１１の第１枠材１３のウエッブ１３ｂ間に固定する。この場合も屋根ユニットパネル１１間の隙間を、塞ぎ板２２により塞ぎ、塞ぎ板２２上を防水シート２４により覆う（図９、図１０参照）。
【００５１】
以上、説明したように、この発明によれば、屋根ユニットパネル４、１１に第１枠材６、１３と第２枠材７、１４が固定されているので、従来の建屋の屋根のように梁３間に母屋を張り渡す必要がなく、ブレースによる補強も基本的には不要である。この結果、建屋の屋根を容易かつ短期間に構築することができる。
【符号の説明】
【００５２】
１：屋根
２：支柱
３：梁
４：屋根ユニットパネル
５：波形鋼板
６：第１枠材
６ａ：フランジ
６ｂ：ウエッブ
７：第２枠材
７ａ：フランジ
７ｂ：ウエッブ
８：断熱材
９：防水材
１０：塞ぎ板
１１：他の屋根ユニットパネル
１２：波形鋼板
１３：第１枠材
１３ａ：フランジ
１３ｂ：ウエッブ
１４：第２枠材
１４ａ：フランジ
１４ｂ：ウエッブ
１５：断熱材
１６：防水材
１７：板材
１８：板材
１９：方杖
２０：塞ぎ板
２１：ガセット
２２：塞ぎ板
２３：防水シート
２４：防水シート
３１：屋根
３２：支柱
３３：梁
３４：母屋
３５：断熱材
３６：防水材
３７：ブレース
【図１】
2017141589.tif 000003
【図２】
2017141589.tif 000004
【図３】
2017141589.tif 000005
【図４】
2017141589.tif 000006
【図５】
2017141589.tif 000007
【図６】
2017141589.tif 000008
【図７】
2017141589.tif 000009
【図８】
2017141589.tif 000010
【図９】
2017141589.tif 000011
【図１０】
2017141589.tif 000012
【図１１】
2017141589.tif 000013
【図１２】
2017141589.tif 000014
【図１３】
2017141589.tif 000015